(57)【要約】【課題】扉を閉じる際などに枠や戸当りなどに当たる際の衝撃や音を小さく抑えることができる扉用ヒンジ装置を提供する。【解決手段】扉１とこの扉１が開閉自在に組付けられる壁などの固定材２との間に設けられて、扉１を、軸心を中心として回転自在に支持する扉用ヒンジ装置１０であって、扉１側に取り付けられる扉側取付部２０と、固定材２に取り付けられる固定側取付部１１と、扉１を所定の位置に移動するよう付勢するばね３０などの付勢手段と、扉側取付部２０に組付けられ、先端部４２ａが固定側取付部１１に当接可能とされて当接時の衝撃を吸収する衝撃吸収手段４０と、を備えている。【選択図】図５
2019138016.tif 000002
【特許請求の範囲】
【請求項１】
扉とこの扉が開閉自在に組付けられる固定材との間に設けられて、扉を、軸心を中心として回転自在に支持する扉用ヒンジ装置であって、
扉側に取り付けられる扉側取付部と、
固定材に取り付けられる固定側取付部と、
扉を所定の位置に移動するよう付勢する付勢手段と、
扉側取付部に組付けられ、先端部が固定側取付部に当接可能とされて当接時の衝撃を吸収する衝撃吸収手段と、
を備えていることを特徴とする扉用ヒンジ装置。
【請求項２】
扉側取付部に複数の衝撃吸収手段が着脱自在に設けられ、扉側取付部に組み付ける衝撃吸収手段の数を自由に選択し、反力を調整できることを特徴とする請求項１に記載の扉用ヒンジ装置。
【請求項３】
衝撃吸収手段は、本体部と、本体部から出退自在で、先端部が固定側取付部に当接可能とされた出退部と、を有し、
固定側取付部における、衝撃吸収手段の出退部の先端部が当接し始める領域に突出部が設けられ、突出部は、衝撃吸収手段の出退部が出退する方向に対して直交する形状に形成されていることを特徴とする請求項１または２に記載の扉用ヒンジ装置。
【発明の詳細な説明】
【技術分野】
【０００１】
本発明は扉用ヒンジ装置に関する。
【背景技術】
【０００２】
扉とこの扉が開閉自在に組付けられる壁や扉枠などの固定材との間に設けられて、扉を回転自在に支持する扉用ヒンジ装置は既に知られている。この扉用ヒンジ装置において、扉を閉鎖位置などの所定位置に移動するよう付勢するばねなどの付勢手段を備えたものも知られている（特許文献１など）。
【先行技術文献】
【特許文献】
【０００３】
【特許文献１】特開２００８−１１５６０４公報
【発明の概要】
【発明が解決しようとする課題】
【０００４】
しかしながら、扉がガラス扉など、比較的重いものである場合には、従来の扉用ヒンジ装置を用いる際に、閉鎖位置などに付勢するばねなどの付勢手段の付勢力が大きいものを用いる。したがって、この場合には、扉が閉じる際に枠や戸当りなどに当接する際に、その衝撃や音が大きくなるという課題があった。
【０００５】
本発明は、上記課題を解決するもので、扉を閉じる際などに枠や戸当りなどに当たる際の衝撃や音を小さく抑えることができる扉用ヒンジ装置を提供することを目的とするものである。
【課題を解決するための手段】
【０００６】
上記課題を解決するために、本発明は、扉とこの扉が開閉自在に組付けられる固定材との間に設けられて、扉を、軸心を中心として回転自在に支持する扉用ヒンジ装置であって、扉側に取り付けられる扉側取付部と、固定材に取り付けられる固定側取付部と、扉を所定の位置に移動するよう付勢する付勢手段（ばねなど）と、扉側取付部に組付けられ、先端部が固定側取付部に当接可能とされて当接時の衝撃を吸収する衝撃吸収手段と、を備えていることを特徴とする。
【０００７】
この構成によれば、扉は付勢手段により所定の位置に移動するよう付勢されるが、前記所定の位置の近傍まで移動すると、衝撃吸収手段の先端部が固定側取付部に当接して、扉が所定の位置に移動する際の衝撃が吸収されて緩和される。これにより、扉を閉じる際などに枠や戸当りなどに当たる際の衝撃や音を小さく抑えることができる。
【０００８】
また、本発明は、扉側取付部に複数の衝撃吸収手段が着脱自在に設けられ、扉側取付部に組み付ける衝撃吸収手段の数を自由に選択し、反力を調整できることを特徴とする。この構成によれば、扉側取付部に組み付ける衝撃吸収手段の数を選択することで、衝撃吸収手段の数に応じて反力を調整できる。
【０００９】
また、本発明の衝撃吸収手段は、本体部と、本体部から出退自在で、先端部が固定側取付部に当接可能とされた出退部と、を有し、固定側取付部における、衝撃吸収手段の出退部の先端部が当接し始める領域に突出部が設けられ、突出部は、衝撃吸収手段の出退部が出退する方向に対して直交する形状に形成されていることを特徴とする。
【００１０】
この構成によれば、扉が所定の位置の近傍まで移動された際に、衝撃吸収手段の先端部が固定側取付部に当接するが、固定側基板における衝撃吸収手段の出退部の先端部が当接し始める領域に設けられている突出部が、衝撃吸収手段の出退部が出退する方向に対して直交する形状に形成されているので、衝撃吸収手段の出退部が突出部から退入する方向に力を受け易くなり、扉が所定の位置に移動する際の衝撃がより良好に吸収されて緩和され易くなる。つまり、固定側基板における衝撃吸収手段の出退部の先端部が当接し始める領域に、突出部が形成されず、単なる平面形状であると、衝撃吸収手段の出退部が本体部内に退入する方向に対して傾斜する力を受け易くなり、衝撃吸収手段の出退部が本体部内に退入できずに突っ張った姿勢となるなどして、扉が所定の位置まで移動できなくなる恐れがあるが、上記構成によれば、このような不具合が生じることを防止できる。
【発明の効果】
【００１１】
本発明によれば、扉側取付部に、先端部が固定側取付部に当接可能とされて当接時の衝撃を吸収する衝撃吸収手段を設けることにより、付勢手段により付勢されている扉が、所定の位置に移動する際の衝撃が吸収されて緩和される。これにより、扉がガラス扉などの比較的重いものであり、付勢手段の付勢力が大きい場合でも、扉を閉じる際などに枠や戸当りなどに当たる際の衝撃や音を小さく抑えることができ、扉を安定して静かに閉じるなどすることができて信頼性も向上する。
【００１２】
また、扉側取付部に複数の衝撃吸収手段を着脱自在に設け、扉側取付部に組み付ける衝撃吸収手段の数を自由に選択し、反力を調整できるよう構成することにより、反力を調整できて、閉鎖時などの衝撃を良好に吸収させることができる。
【００１３】
また、固定側取付部における、衝撃吸収手段の出退部の先端部が当接し始める領域に突出部を設け、この突出部を、衝撃吸収手段の出退部が出退する方向に対して直交する形状に形成することにより、衝撃吸収手段の出退部の先端部が固定側取付部に当接し始める際に、衝撃吸収手段の出退部が突出部から退入する方向に力を受け易くなり、衝撃吸収手段の出退部が本体部内に退入できずに突っ張った姿勢となって扉を所定の位置まで移動できなくなることを防止でき、ひいては信頼性を向上させることができる。
【図面の簡単な説明】
【００１４】
【図１】本発明の実施の形態に係る扉用ヒンジ装置を装着した扉および固定材（扉の開閉システム）を概略的に示す斜視図で、扉を閉じた状態を示す。
【図２】同扉用ヒンジ装置の平面図（扉閉鎖時）である。
【図３】同扉用ヒンジ装置の正面図（扉閉鎖時）である。
【図４】同扉用ヒンジ装置の右側面図（扉閉鎖時）である。
【図５】同扉用ヒンジ装置の平面断面図（図３のV−V線矢視断面図：扉閉鎖時）である。
【図６】同扉用ヒンジ装置の正面断面図（図４のVI−VI線矢視断面図：扉閉鎖時）である。
【図７】同扉用ヒンジ装置の平面図（扉開放時）である。
【図８】同扉用ヒンジ装置の正面図（扉開放時）である。
【図９】同扉用ヒンジ装置の平面断面図（扉開放時）である。
【図１０】同扉用ヒンジ装置の平面図（扉閉鎖途中時）である。
【図１１】同扉用ヒンジ装置の平面断面図（扉閉鎖途中時）である。
【図１２】同扉用ヒンジ装置の正面図（扉閉鎖途中時）である。
【図１３】本発明の他の実施の形態に係る扉用ヒンジ装置を備えた扉の開閉システムの斜視図である。
【図１４】図１３に示す扉の上部に組付けられる扉用ヒンジ装置の側面図である。
【図１５】図１３に示す扉の上部に組付けられる扉用ヒンジ装置の平面断面図である。
【発明を実施するための形態】
【００１５】
以下、本発明の実施の形態に係る扉用ヒンジ装置を、図面に基づき説明する。なお、図１は、当該扉用ヒンジ装置を装着した扉および固定材を概略的に示し、図２〜図６は扉閉鎖時の扉用ヒンジ装置を示し、図７〜図９は扉開放時の扉用ヒンジ装置を示し、図１０〜図１２は扉閉鎖途中の扉用ヒンジ装置を示す。
【００１６】
図１などにおいて、１は扉、２はこの扉１が開閉自在に組付けられる壁（または、扉枠などでもよい）からなる固定材、１０は本発明の実施の形態に係る扉用ヒンジ装置、３は扉１に取り付けられた取手である。図１などに示すように、扉用ヒンジ装置１０は、扉１と固定材２との間に設けられて、扉１を、縦の軸心（この実施の形態では後述する回転軸１５の軸心）を中心として回転自在に支持する。なお、この実施の形態では、扉１の上部と下部との２箇所に扉用ヒンジ装置１０が設けられている場合を示しているが、これに限るものではない。また、この実施の形態では、扉１がガラス製のガラス扉である。しかし、必ずしもこれに限るものではなく、扉１がガラス以外の素材で構成されていてもよい。また、図示しないが、例えば、扉枠などに扉１に閉鎖時に当接する戸当りなどが取付けられて、奥側（または手前側）に片開きできるよう配置されると好適であるが、これに限るものではない。
【００１７】
図２〜図６などに示すように、扉用ヒンジ装置１０は、固定材２に取り付けられる固定側取付部１１と、扉１側に取り付けられる扉側取付部２０と、扉１を所定の位置に移動するよう付勢する付勢手段としてのばね３０と、を備えているが、これらの構成要素に加えて、扉側取付部２０に組付けられ、先端部が固定側取付部１１に当接可能とされて当接時の衝撃を吸収するいわゆるソフトアブソーバーやダンパーなどとも称せられる衝撃吸収手段４０を備えている。
【００１８】
固定材２に取り付けられる固定側取付部１１は、壁などの固定材２の取付面にねじ１６などで固定される固定側基板（ベースプレート）１２と、この固定側基板１２にねじ１７で取り付けられた回転支持金具１３と、この回転支持金具１３に設けられた空洞部に内蔵されたカム１４などを有しており、このカム１４および回転支持金具１３に、軸心となる回転軸１５が上下に延びる姿勢で挿通されている。
【００１９】
扉１側に取り付けられる扉側取付部２０は、回転軸１５に回転可能に支持されて扉１の一側部を挟む２枚の扉挟持板２１、２２および挟持用ねじ２３を有し、一方の扉挟持板２１に横方向にばね３０を収容しているとともに、ばね３０の先端に、ばね３０の付勢力が作用するように球体３１が内装されている。なお、扉１と扉挟持板２１、２２との間には、弾性を有するシート状のパッキン２６などを介装させると好適である。また、２４は、ばね３０および球体３１を収容した状態で覆う蓋部、２５は蓋部２４の取付ねじである。この実施の形態では、ばね３０および球体３１が上下に２箇所に設けられているが、これに限るものではなく、ばね３０および球体３１を１つずつ設けたり、３つ以上設けたりしてもよい。
【００２０】
図５などに示すように、カム１４は、平面視して、壁などの固定材とは反対側の領域は円形となっている一方で、円形部の中央には、球体３１の球面が嵌り込み可能な凹部（窪み部）１４ａが形成され、これにより、扉１が、閉鎖位置の近傍（例えば、平面視して、閉鎖位置に対して３０度から４０度ぐらいの近傍角度位置）まで移動されると、ばね３０によって、閉鎖位置側に移動するよう付勢される。また、この実施の形態では、カム１４の角度（姿勢）を調整可能な、対となった調整ねじ３２が回転支持金具１３にねじ込まれており、この調整ねじ３２を回転してカム１４の角度（姿勢）を調整することで、壁などの固定材２の取付面が若干ずれていても、閉鎖状態の扉の位置を良好に調整可能とされている。なお、このような位置調整機能（取付角度調整機能）は、必要に応じて設けられていればよく、必ずしも設けなくてもよい。
【００２１】
図３、図５などに示すように、他方の扉挟持板２２には、この扉挟持板２２から手前側に膨出する状態で複数の衝撃吸収手段４０を収容する収容部２２ｂが一体形成され、収容部２２ｂの内部には、衝撃吸収手段４０を収容する略円筒形状の収納空間２２ｃが形成されている。衝撃吸収手段４０は、扉側取付部２０の扉挟持板２２の収納部２２ｂに着脱自在に取り付けられている。この実施の形態では、扉挟持板２２に４つの衝撃吸収手段４０が上下に並べられた状態で、それぞれ着脱できる状態で取り付けられている。衝撃吸収手段４０は、扉側取付部２０（この実施の形態では、扉側取付部２０の扉挟持板２２）に組付けられ、先端部が固定側取付部１１に当接可能とされて当接時の衝撃を吸収する。
【００２２】
衝撃吸収手段４０は、略円柱形状の本体部４１と、本体部４１から出退自在で、先端部４２ａが固定側取付部１１の固定側基板１２に当接可能とされた出退部４２と、を有する。本体部４１の後部側箇所は、扉挟持板２２に弾性変形可能な状態で取り付けられた係止ばね４３の付勢力により、装着状態を保持できるよう構成されている。また、扉挟持板２２には本体部４１の収納箇所側に貫通する孔部２２ｄが形成され、この孔部２２ｄに金属棒（ドライバ）などを通して押し出すことで、衝撃吸収手段４０を扉挟持板２２から取り外すことも可能である。なお、衝撃吸収手段４０は、いわゆるソフトアブソーバーやショックアブソーバー、ダンパー、緩衝器などとも称せられるものであり、油圧式（液圧式）、ばね内蔵式などのどのような構造でもよく、衝撃を受けた際に、衝撃を吸収しながら、出退部４２が本体部４１内に収容される（後退する）ものであればよい。
【００２３】
ここで、衝撃吸収手段４０の出退部４２の先端部４２ａは球面状（または、円弧状）に形成されている。また、固定側取付部１１（この実施の形態では、固定側取付部１１の固定側基板１２）における、衝撃吸収手段４０の出退部４２の先端部４２ａが当接し始める領域に突出部１２ａが設けられ、突出部１２ａは、衝撃吸収手段４０の出退部４２が出退する方向に対して直交する形状に形成されている。なお、この実施の形態では、図２、図５などに示すように、突出部１２ａは、円弧状に突出するように形成され、突出部１２ａの端部は丸められて、衝撃吸収手段４０の出退部４２に対して滑らかに接触し始めるよう構成されている。また、突出部１２ａの反対側は固定側基板１２の平面部分に滑らかに続く形状とされている。
【００２４】
上記構成において、扉１が開放されている際には、図７、図８に示すように、ばね３０で付勢力を受けている球体３１はカム１４の凹部１４ａから外れているため、扉１はばね３０の付勢力を受けることなく自由に移動（開閉）できる。また、図７〜図９に示すように、衝撃吸収手段４０の出退部４２は固定側取付部１１の固定側基板１２から離反している。
【００２５】
扉１が、開放状態から閉じられて閉鎖状態に近づくと、図１０、図１１に示すように、ばね３０で付勢力を受けている球体３１がカム１４の凹部１４ａに嵌り始めるため、ばね３０の付勢力が付与されて、より閉鎖状態に移動しようとする。一方で、図１０〜図１２に示すように、衝撃吸収手段４０の出退部４２が固定側取付部１１の固定側基板１２に接触し始める。
【００２６】
さらに、扉１が、閉鎖状態まで移動する際には、図１０、図１１に示すように、近づくと、ばね３０で付勢力を受けている球体３１がカム１４の凹部１４ａに嵌り込むため、ばね３０の付勢力が加えられた状態で、強く移動しようとする。しかしながら、この際には、衝撃吸収手段４０の出退部４２の先端部４２ａが固定側取付部１１の固定側基板１２の平面部分に当接して、扉１が閉鎖位置に移動する際の衝撃が吸収されて緩和される。これにより、扉１がガラス扉などの比較的重いものであり、付勢手段であるばね３０の付勢力が大きい場合でも、扉１を閉じる際などに扉枠や戸当りなどに当たる際の衝撃や音を小さく抑えることができ、扉１を安定して静かに閉じるなどすることができて当該扉用ヒンジ装置１０ひいては扉１の開閉システムの信頼性を向上することができる。
【００２７】
また、上記構成によれば、扉１が所定の位置（この実施の形態では閉鎖位置）の近傍まで移動された際に、衝撃吸収手段４０の出退部４２の先端部４２ａが固定側取付部１１の固定側基板１２に当接するが、衝撃吸収手段４０に設けられている出退部４２の先端部４２ａが球面状、または、円弧状に形成されているので、出退部４２の先端部４２ａが固定側取付部１１の固定側基板１２に対して片当たりし難くなり、扉１が所定の位置に移動する際の衝撃がより良好に吸収されて緩和され易くなる。
【００２８】
さらに、上記構成によれば、扉１が所定の位置（この実施の形態では閉鎖位置）の近傍まで移動された際に、衝撃吸収手段４０の出退部４２の先端部４２ａが固定側取付部１１の固定側基板１２に当接するが、固定側基板１２における出退部４２の先端部４２ａが当接し始める領域に設けられている突出部１２ａが、衝撃吸収手段４０の出退部４２が出退する方向に対して直交する形状に形成されているので、衝撃吸収手段４０の出退部４２が突出部１２ａから退入する（後退する）方向に力を受け易くなり、衝撃吸収手段４０の出退部４２が良好に退入（後退）して、扉１が所定の位置（この実施の形態では閉鎖位置）に移動する際の衝撃がより良好に吸収されて緩和され易くなる。
【００２９】
つまり、固定側基板１２における衝撃吸収手段４０の出退部４２の先端部４２ａが当接し始める領域に、突出部１２ａが形成されず、単なる平面形状であると、衝撃吸収手段４０の出退部４２が本体部４１内に退入する方向に対して傾斜する力を受け易くなり、衝撃吸収手段４０の出退部４１が本体部４１内に退入できずに突っ張った姿勢となるなどして、扉１が所定の位置（この実施の形態では閉鎖位置）まで移動できなくなる恐れがあるが、上記構成によれば、このような不具合が生じることを防止でき、当該扉用ヒンジ装置１０、ひいては当該扉用ヒンジ装置１０を含んだ扉１の開閉システムの信頼性を向上することができる。
【００３０】
また、上記構成によれば、扉側取付部２０（この実施の形態では、扉挟持板２２の一部）に、複数の衝撃吸収手段４０を着脱自在に収容できるよう構成したので、扉１の重量や付勢手段であるばね３０の付勢力などに対応して、扉側取付部２０に組み付ける衝撃吸収手段４０の数を自由に選択し、反力の調整を行うことができる。すなわち、上記実施の形態では、全ての収容部２２ｂに衝撃吸収手段４０を組み込んだ場合を図示したが、これに限るものではなく、例えば、扉１の上部と下部に組付けた扉用ヒンジ装置１０のそれぞれに、同数（２つずつなど）の衝撃吸収手段４０を組付けたり、異なる数の衝撃吸収手段４０を組付けたりしてもよい。
【００３１】
また、図１３〜図１５に示すように、扉１の下部には、上記のように衝撃吸収手段４０やこの衝撃吸収手段４０を収容する収容部２２ｂを有する扉用ヒンジ装置１０を組付ける一方で、利用する人に対して目立ち易い扉１の上部には、衝撃吸収手段４０やこの衝撃吸収手段４０を収容する収容部２２ｂを有しない扉用ヒンジ装置５０を組付け、扉１の下部に組付けた扉用ヒンジ装置１０に４つなど多数の衝撃吸収手段４０を組み込んでもよい。この構成によれば、扉１の下部などの目立たない箇所だけに、衝撃吸収機能を有する扉用ヒンジ装置１０を取り付けることができる。
【００３２】
なお、上記実施の形態では、扉１を奥側に開くことができる場合を述べたが、これに限るものではなく、扉用ヒンジ装置１０などを手前側と奥側とを逆に組み付けることで、扉１を手前側に開くことができる構成のものにも適用可能である。
【００３３】
また、上記実施の形態では、扉１を閉鎖位置側に移動させるように付勢するばね（付勢手段）３０が設けられ、閉鎖位置近傍で衝撃吸収手段４０の出退部４２が固定側取付部１１の固定側基板１２に当接して衝撃を吸収するよう構成した場合を述べた。しかし、これに限るものではなく、扉用ヒンジ装置として、扉１を開放位置側に移動させるように付勢するばね（付勢手段）を設け、開放位置近傍で衝撃吸収手段４０の出退部４２が固定側取付部１１の固定側基板１２に当接して衝撃を吸収するよう構成してもよい。
【００３４】
また、上記の実施の形態では、扉１がガラス扉である場合を述べた。このように扉１がガラス扉である場合には、扉１が重いためにばね３０などの付勢手段の付勢力が大きいものが用いられている一方で、扉側取付部２０に衝撃吸収手段４０が設けられているため、扉が閉じる際に枠や戸当りなどに当接する際において、衝撃吸収手段４０によって、より良好に衝撃や音が吸収され、衝撃や音を小さく抑えることができる。しかし、これに限るものではなく、ガラス扉以外の扉１にも上記構成を適用できることは申すまでもない。
【符号の説明】
【００３５】
１      扉
２      固定材
１０    扉用ヒンジ装置
１１    固定側取付部
１２    固定側基板（ベースプレート）
１２ａ  突出部
１３    回転支持金具
１４    カム
１５    回転軸
２０    扉側取付部
２１、２２    扉挟持板
３０    ばね（付勢手段）
３１    球体
４０    衝撃吸収手段
４１    本体部
４２    出退部
【図１】
2019138016.tif 000003
【図２】
2019138016.tif 000004
【図３】
2019138016.tif 000005
【図４】
2019138016.tif 000006
【図５】
2019138016.tif 000007
【図６】
2019138016.tif 000008
【図７】
2019138016.tif 000009
【図８】
2019138016.tif 000010
【図９】
2019138016.tif 000011
【図１０】
2019138016.tif 000012
【図１１】
2019138016.tif 000013
【図１２】
2019138016.tif 000014
【図１３】
2019138016.tif 000015
【図１４】
2019138016.tif 000016
【図１５】
2019138016.tif 000017